(57)【要約】      （修正有）【課題】異なる頭部の形状や部位に応じてカーブの形状が変化することで、好適な密着効果を達成するフレキシブルヘアブラシを提供する。【解決手段】フレキシブルヘアブラシは、ハンドル部分３１を備え、ハンドル部分３１前端にはブラシベース部分３２が設置され、ブラシベース部分３２上には複数のブラシのピン３３が設置される。ブラシベース部分３２上に、少なくとも一本の渦巻状溝３２１が貫通することで、複数の上下に移動する渦巻部分３２２が形成される。渦巻状溝３２１の設計により、髪を梳かす時、様々な頭部の形状に応じてカーブの形状が変化して、髪を梳かす時に使用すると、上下に起伏し、左右に自動的にフレキシブルに調整されることにより、各ブラシのピン３３が毛の根元に近付き、しっかりと髪を梳かすと同時に、マッサージの効果も達成する。【選択図】図３
0003219937.tif 000002
【実用新案登録請求の範囲】
【請求項１】
ハンドル部分を有し、前記ハンドル部分前端にはブラシベース部分が設置され、前記ブラシベース部分上には複数のブラシのピンを有しており、
前記ブラシベース部分上を少なくとも一個の、前記ブラシベース部分外周からぐるりと回る形態で、前記ブラシベース部分の中心に向かって延伸して配置される渦巻状溝が貫通していることを特徴とするフレキシブルヘアブラシ。
【請求項２】
前記ブラシベース部分は、外的な力を受けないという条件の下で、左右両側が中心より高い、反った形状であることを特徴とする請求項１に記載のフレキシブルヘアブラシ。
【請求項３】
前記ブラシベース部分は、外的な力を受けないという条件の下で、前後両端が中心より低い、反った形状であることを特徴とする請求項１に記載のフレキシブルヘアブラシ。
【請求項４】
前記ブラシベース部分は、外的な力を受けないという条件の下で、左右両側が中心より高く、且つ、前後両端が中心より低い、反った形状であることを特徴とする請求項１に記載のフレキシブルヘアブラシ。
【請求項５】
前記ブラシベース部分は、外的な力を受けないという条件の下で、平らでまっすぐな形状であることを特徴とする請求項１に記載のフレキシブルヘアブラシ。
【請求項６】
前記ブラシベース部分上に、二本の渦巻状溝が貫通し、前記二本の渦巻状溝は、時計と逆方向にそれぞれ前記ブラシベース部分の首、末端の両端の外周から、前記ブラシベース部分の中心方向に向かって旋回していることを特徴とする請求項１から請求項５のいずれかに記載のフレキシブルヘアブラシ。
【請求項７】
前記ブラシベース部分上に、二本の渦巻状溝が貫通して、前記二本の渦巻状溝が、時計回りに、それぞれ前記ブラシベース部分の首、末端両端外周から、前記ブラシベース部分の中心方向に向かって旋回していることを特徴とする請求項１から請求項５のいずれかに記載のフレキシブルヘアブラシ。
【考案の詳細な説明】
【技術分野】
【０００１】
本考案は、ヘアブラシに関し、特に、渦巻状溝があることにより、髪を梳かす時、異なる頭部の形状や部位に応じてカーブの形状を変化させられることで、好適な効果をもたらすフレキシブルヘアブラシに関する。
【背景技術】
【０００２】
服装や身だしなみを整えたり、清潔に保つことは極めて重要なマナーである。適度に身だしなみを整えることは、見た目にやる気を感じさせると同時に、他人に良い印象を与えることができる。中でも、髪は大きな要素を占め、全体の身だしなみにおいて、まず髪を整えることから始める必要があり、髪が乱れたら、「ヘアブラシ」で整える必要が生じる。
【０００３】
一般にヘアブラシの基本構造は、ハンドルの前端に、適当な面積のブラシ板部分を有し、前記ブラシ板部分には若干のブラシの毛が設置される。ヘアブラシを使用する時は、手でハンドルを持って、前記ブラシ板部分上のブラシの毛を頭皮に近づけて、頭髪の流れる方向に従ってヘアブラシを移動させて、頭髪のもつれをほどくと同時に、頭髪を梳かして整える。
【０００４】
さらに、髪を梳かす際、数量の多いブラシの毛を髪の根元や頭皮に近づけられるように、図１に示したように、ハンドル１１前端のブラシ板部分１２を湾曲状にしたものがある。図中の前記ブラシ板部分１２上には、若干の溝１２１を有するが、リブ１２２の連結により、ブラシ板部分１２全体の湾曲の程度は、異なる頭部の形状や部位に合わせられないため、理想的な効果を得ることができない。さらに、頭部の形状が異なるため、一部のブラシの毛１３のみを頭皮に近づけることしかできず、使用上制限が生じると同時に不快感が残る。
【０００５】
他の従来のヘアブラシは、図２に示したとおりである。ハンドル２１前端のブラシ板部分２２を、若干の歯状部２２１を配列させた構成にしたものである。この技術は、髪を梳かす過程において、歯状部２２１の間の高低差の変化により、多くの歯状部２２１上のブラシの毛２３を頭皮に近づけることが可能である。しかしながら、髪を梳かす過程において、前記ブラシ板部分２２上の歯状部２２１の一本一本全てが、異なる頭部の形状や部位に対して適度な湾曲を提供することができず、理想的な効果は得られず、心地好さを感じるには至らない。
【考案の概要】
【考案が解決しようとする課題】
【０００６】
本考案のフレキシブルヘアブラシは、従来のヘアブラシに存在する、異なる頭部の形状や部位に対して適度な湾曲を提供することができず、理想的な効果や心地好さを得られないという問題を改善することを課題とする。
【課題を解決するための手段】
【０００７】
前記課題を解決するために、本考案は、異なる頭部の形状や部位に応じてカーブの形状が変化することで、好適な密着効果を達成するフレキシブルヘアブラシを提供することを目的とする。
【０００８】
前記目的を達成するために、本考案のフレキシブルヘアブラシは、ハンドル部分を備え、前記ハンドル部分前端にはブラシベース部分が設置され、前記ブラシベース部分上には複数のブラシのピンが設置される。前記ブラシベース部分上に、少なくとも一本の前記ブラシベース部分の外周から旋回する方式で、前記ブラシベース部分の中心に向かって延伸して配置される渦巻状溝が貫通する。前記渦巻状溝の設計により、髪を梳かす時、様々な頭部の形状に応じてカーブの形状が変化して、上下に起伏し、左右に自動的にフレキシブルに調整されることにより、各ブラシのピンが毛が根元に近づき、しっかりと髪を梳かすと同時に、マッサージの効果も達成することを特徴とする。
【０００９】
本考案のフレキシブルヘアブラシは、渦巻状溝の作用により、ブラシベース部分全体に複数の上下に移動する渦巻部分を形成させて、使用時、ブラシベース部分全体が異なる頭部の形状や部位に応じてカーブの形状が変化することで、それぞれの渦巻部分上のブラシのピンが限りなく頭皮に近付き、好適な密着効果を達成することを特徴とする。
【００１０】
さらに、本考案のフレキシブルヘアブラシは、前記ブラシベース部分が外的な力を受けないという条件の下、左右両側が中心より高い、反った形状を呈することを特徴とする。
【００１１】
さらに、本考案のフレキシブルヘアブラシは、前記ブラシベース部分が外的な力を受けないという条件の下、前後両端が中心より低い、反った形状を呈することを特徴とする。
【００１２】
さらに、本考案のフレキシブルヘアブラシは、前記ブラシベース部分が外的な力を受けないという条件の下、左右両側が中心より高く、且つ、前後両端が中心より低い、反った形状を呈することを特徴とする。
【００１３】
さらに、本考案のフレキシブルヘアブラシは、前記ブラシベース部分が外的な力を受けないという条件の下、平らなまっすぐな形状を呈することを特徴とする。
【００１４】
また、前記ブラシベース部分上には、二本の渦巻状溝が貫通していて、前記二本の渦巻状溝は、時計と反対回りの方向に、それぞれ前記ブラシベース部分の首、末端外周から、前記ブラシベース部分の中心方向に向かって旋回することを特徴とする。
【００１５】
また、前記ブラシベース部分上には、二本の渦巻状溝が貫通していて、前記二本の渦巻状溝は、時計回りに、それぞれ前記ブラシベース部分の首、末端外周から、前記ブラシベース部分の中心方向に向かって旋回することを特徴とする。
【００１６】
このように、本考案のフレキシブルヘアブラシは、ブラシベース部分上に少なくとも一本の渦巻状溝が貫通する設計であることにより、ブラシベース部分を、異なる頭部の形状や部位に応じて、カーブの形状を変化させて、好適な密着効果を達成するため、フレキシブルヘアブラシの実用性及び心地好さを高めると同時に、渦巻状溝により、連続するクリーニング道を形成させて、簡単且つ有効な方法で、ブラシベース部分に残留する毛髪、汚れを除去すると同時に、ブラシのピン間の通風効果を高めて、フレキシブルヘアブラシの清潔性を維持するのに役立つ。
【考案の効果】
【００１７】
本考案のフレキシブルヘアブラシは、ブラシベース部分上に少なくとも一本の渦巻状溝が貫通する設計であることにより、ブラシベース部分を、異なる頭部の形状や部位に応じて、カーブの形状を変化させて、好適な密着効果を達成するため、フレキシブルヘアブラシの実用性及び心地好さを高めると同時に、渦巻状溝により、連続するクリーニング道を形成させて、簡単且つ有効な方法で、ブラシベース部分に残留する毛髪、汚れを除去すると同時に、ブラシのピン間の通風効果を高めて、フレキシブルヘアブラシの清潔性を維持するという効果を有する。
【図面の簡単な説明】
【００１８】
【図１】従来のヘアブラシの構造を示した図である。
【図２】他の従来のヘアブラシの構造を示した図である。
【図３】本考案の第１実施例におけるフレキシブルヘアブラシの外観立体図である。
【図４】本考案の第１実施例におけるフレキシブルヘアブラシの構造を示した平面図である。
【図５】本考案の第１実施例におけるフレキシブルヘアブラシの構造を示した正面図である。
【図６】本考案の第１実施例におけるフレキシブルヘアブラシの構造を示した側面図である。
【図７】本考案の第１実施例におけるフレキシブルヘアブラシのカーブの形状を変更させた状態を示した図である。
【図８】本考案の第２実施例におけるフレキシブルヘアブラシの構造を示した側面図である。
【図９】本考案の第２実施例におけるフレキシブルヘアブラシの構造を示した正面図である。
【考案を実施するための形態】
【００１９】
本考案は、異なる頭部の形状や部位に合わせてそのカーブの程度を変化させて、好適な頭部への密着度と心地好さを提供するフレキシブルヘアブラシに関する。図３から図６を参照しながら説明する。本考案のフレキシブルヘアブラシは、ハンドル部分３１を有し、前記ハンドル部分３１前端にはブラシベース部分３２が設置され、前記ブラシベース部分３２上には複数のブラシのピン３３を有する。実施時には、前記ハンドル部分３１と前記ブラシベース部分３２は、プラスチック素材により一体成型されるか、木、竹または金属等の材料を加工して成型される。
【００２０】
本考案は、前記ブラシベース部分３２上を少なくとも１個の、前記ブラシベース部分３２外周からぐるりと回る形態で、前記ブラシベース部分３２の中心に向かって延伸して配置される渦巻状溝３２１が貫通している。渦巻状溝３２１の作用により、ブラシベース部分３２全体に、複数の上下に移動する渦巻部分３２２が形成される。前記渦巻状溝３２１の設計により、髪を梳かす際に様々な頭部の形状に応じてカーブの形状を変化させることにより、髪を梳かす時に、上下に起伏すると同時に左右にも自動的に調整がなされて、各ブラシのピン３３が毛の根元に接触して、しっかりと髪を梳かすことができ、マッサージの効果も達成することを特徴とする。
【００２１】
本考案のフレキシブルヘアブラシを使用する時、ブラシベース部分３２全体が異なる頭部の形状や部位に応じて、カーブの形状を変化（図７に示したとおり）させることで、各渦巻部分３２２上のブラシのピン３３が限りなく頭皮に近付き、好適な密着効果を得て、髪を梳く際の実用性及び心地好さを向上させる。
【００２２】
図３から図６に示した実施例において、前記ブラシベース部分３２は、外的な力を受けないという条件の下で、左右両側が中心より高い、反った形状になっている（図５に示したとおり）。また、前記ブラシベース部分３２は、外的な力を受けないという条件の下で、前後両端が中心より低い、反った形状になっている（図６に示したとおり）。当然、前記ブラシベース部分３２は、外的な力を受けないという条件の下で、左右両側が中心より高く、前後両端が中心より低い、反った形状であることを好適とする。
【００２３】
原則的に、本考案のフレキシブルヘアブラシは、前記ブラシベース部分３２上に、渦巻状溝３２１を貫通させるだけでよく、ブラシベース部分３２全体に、複数の上下に移動する渦巻部分３２２を形成させる。したがって、本考案のフレキシブルヘアブラシを実施する時、前記ブラシベース部分３２は、外的な力を受けないという条件の下で、平らでまっすぐな形状の構造を有することも可能である（図８及び図９に示したとおり）。
【００２４】
さらに、本考案のフレキシブルヘアブラシは、前記ブラシベース部分３２上を貫通する渦巻状溝３２１によって、ブラシベース部分３２全体に、複数の上下に移動する渦巻部分３２２を形成させる。渦巻状溝３２１が形成する連続するクリーニング道を利用して、簡単且つ有効な方法で、ブラシベース部分３２上に残留する毛髪、汚れを除去することが可能であり、各ブラシのピン３３間の通風効果をも高めて、フレキシブルヘアブラシの清潔性を維持するのに役立つ。
【００２５】
当然、本考案のフレキシブルヘアブラシは、上述の各種実施可能な構造の下、前記ブラシベース部分３２上には、二本の渦巻状溝３２１が貫通し、前記二本の渦巻状溝３２１は、時計と逆方向にそれぞれ前記ブラシベース部分３２の首、末端の両端の外周から、前記ブラシベース部分３２の中心方向に向かって旋回している（図４に示したとおり）こと、または、前記ブラシベース部分３２上に、二本の渦巻状溝３２１が貫通して、前記二本の渦巻状溝３２１が、時計回りに、それぞれ前記ブラシベース部分３２の首、末端両端外周から、前記ブラシベース部分３２の中心方向に向かって旋回している（図省略）ことで、いずれもブラシベース部分３２に比較的多くの渦巻部分３２２を発生させることが可能な実施形態において、同時に一定の構造安定度を有する。
【００２６】
従来の構造と比較すると、本考案が開示するフレキシブルヘアブラシは、ブラシベース部分上に少なくとも一本の渦巻状溝が貫通する設計であることにより、ブラシベース部分に、異なる頭部の形状や部位に応じて、カーブの形状を変化させて、好適な密着効果を達成する。したがって、フレキシブルヘアブラシの実用性及び心地好さを高めると同時に、渦巻状溝により、連続するクリーニング道を形成させて、簡単且つ有効な方法で、ブラシベース部分に残留する毛髪、汚れを除去すると同時に、ブラシのピン間の通風効果を高めて、フレキシブルヘアブラシの清潔性を維持するのに役立つ。
【００２７】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００２８】
［従来の技術］
１１      ハンドル
１２      ブラシ板部分
１２１    溝
１２２    リブ
１３      ブラシの毛
２１      ハンドル
２２      ブラシ板部分
２２１    歯状部
２３      ブラシの毛
［本考案］
３１      ハンドル部分
３２      ブラシベース部分
３２１    渦巻状溝
３２２    渦巻部分
３３      ブラシのピン
【図１】
0003219937.tif 000003
【図２】
0003219937.tif 000004
【図３】
0003219937.tif 000005
【図４】
0003219937.tif 000006
【図５】
0003219937.tif 000007
【図６】
0003219937.tif 000008
【図７】
0003219937.tif 000009
【図８】
0003219937.tif 000010
【図９】
0003219937.tif 000011